(57)【特許請求の範囲】
【請求項１】
甲皮と、中底と、本底とから構成される靴において、甲皮裏材に導電性材料を使用し、導電性糸により外周ステッチを施して甲皮表材と甲皮裏材とを縫合し、一方甲皮表材と甲皮裏材と中底とを導電性糸で貫通縫合する際前足部をストロベル縫いし、後足部を本縫して、射出成形により導電性材料から成る本底と接合一体化した静電気帯電防止靴。
【請求項２】
静電気帯電防止靴を製造する方法であって、
（イ）甲皮と、中底と、本底とから構成される靴において、甲皮裏材に導電性織布を使用すること、
（ロ）甲皮吊込み時に、導電性織布から成る甲皮裏材を、甲皮より短寸に裁断して、甲皮裏材を、甲皮表材の外周縁の内部に完全に納めること、
（ハ）前記吊込みシロに、導電糸で外周ステッチを入れること、
（ニ）甲皮裏材と甲皮表材を縫合し、吊込み底面に、導電性接着剤を塗布し、導電性材料から成る本底と手貼りで接合一体化すること、を含む静電気帯電防止靴を製造する方法。
【請求項３】
外周ステッチを縫合する際、所定の形状の導電性材料と一緒に縫合する請求項２に記載した静電気帯電防止靴を製造する方法。
【発明の詳細な説明】
【０００１】
【産業上の利用分野】
本発明は、静電気帯電防止靴および静電気帯電防止靴を製造する方法に関する。より詳細に述べると、本発明は、中底と本底の簡単な２層構造からなるカジュアル用静電気帯電防止靴およびかかる静電気帯電防止靴を製造する方法に関する。
【０００２】
【従来の技術】
本発明で使用する用語「静電気帯電防止靴」は、ＪＩＳ  Ｔ８１０３に規定する狭義の静電気帯電防止用靴を想定した日常履用に適した静電気帯電防止靴と広義に定義する。
【０００３】
人体が歩行などの運動をした際、帯電列が異なる物質が摩擦した場合は、摩擦静電気が発生し、或いは衣服を着脱する時には、剥離静電気が発生して人体に帯電する。この人体の静電気帯電が、各種可燃性ガス、蒸気、液体、粉体、粉塵、或いはそれらの混合物、フィルム、各種塗装機、電子部品等を取り扱う事業所において放電すると、その火花により爆発、火災や人体ショックによる事故などを引き起こす。また、埃や花粉を体に引き寄せ、肌荒れやアレルギーの原因にもなる。また、ドアノブ等の金属に触れると放電ショックを受ける原因にもなる。
【０００４】
このような事故や人体への影響を防止する目的で帯電防止靴或いは静電靴が開発されている。この種の帯電防止靴は、（イ）２００Ｖ級の活線に接触しても１ｍＡ以上の電流が流れないようにすること。（ロ）人体の帯電が大地へ逃がすこと。（ハ）可燃性気体中で、人体と大地間で放電しても放電エネルギーが最小着火エネルギーより小さくして、爆発、火災、電撃などの事故を防止すること（ニ）人体への放電ショックや肌荒れやアレルギーを防止する目的とするものである。
【０００５】
このような目的の静電気帯電防止靴に関してＪＩＳ  ８１０３−２００１（静電気帯電靴）は、その抵抗値を下記のとおりに規定している。
１．０×１０５≦Ｒ＊≦１．０×１０９
＊：静電気帯電防止靴としての性能（１個当たりの電気抵抗Ｒ（Ω））
【０００６】
従来から、このＪＩＳ規格に適合する静電気帯電防止靴が各種提案されている。その多くが、デザインよりも、安全・作業靴という本来の目的を一層重視したもので、靴底にアース機能がある突起物を設けたり、或いは金属、カーボン、帯電防止剤を配合した導電性ゴムを本底或いは本底の１部に使用するものである。
【０００７】
たとえば、特開昭６０−１５８８０２号は、中底に導電体を使用した静電靴において、中底の導電体に一端が接し、他端が表底の底外面に露出するよう細繊維状の金属線又は導電性を必要本数表底を貫通するよう埋設した静電靴を開示している。
【０００８】
また、特開昭５８−１３６３０２号は、靴底に貫通穴を設け、コイルバネを通し、人体側電極を靴底上面に取り付け、コイルバネの上部と接続した静電アース電路を開示している。
【０００９】
特開平８−１５４７０４号は、本底を帯電防止性を有する加流ゴムとし、部分底をエポキシ化天然ゴムを必須成分とする加流ゴムとし、その下面を主本底の接地面に現出させた靴底を開示している。
【００１０】
特開昭６２−２０１１０１号は、導電性ゴムから成る外底の一部を高導電性の加硫ゴムとした導電性履物底を開示している。
【００１１】
上述した靴底は、主として事業所内で使用する静電気帯電防止用安全・作業靴で、デザインよりも、機能を重視したものであって、カジュアル用として日常簡便に履用できるタイプのもではなかった。
【００１２】
従って、モカシン、ロファー等スリッポンタイプの靴に代表されるカジュアルシューズに静電気帯電防止機能を付与することが必要である。
【００１３】
【発明が解決しようとする課題】
発明が解決しようとする課題は、甲皮、中底、及び本底からなる靴に効率よく導電性機能を付与する方法を提供することである。
【００１４】
発明が解決しようとする別の課題は、甲皮に導電性機能を付与し、導電性材料から成る本底と射出成形により接着して一体化した静電気帯電防止靴を提供することである。
【００１５】
発明が解決しようとするさらに別の課題は、甲皮に導電性機能を付与し、導電性材料から成る本底と手貼りにより接着して一体化した静電気帯電防止靴を提供することである。
【００１６】
【課題を解決するための手段】
上記課題を解決するための手段は、甲皮と、中底と、本底とから構成される靴において、甲皮裏材に導電性材料を使用し、導電性糸により外周ステッチを施して甲皮表材と甲皮裏材とを縫合し、一方甲皮表材と甲皮裏材と中底とを導電性糸で貫通縫合する際前足部をストロベル縫いし、後足部を本縫して、射出成形により導電性材料から成る本底と接合一体化した静電気帯電防止靴である。
【００１７】
上記課題を解決するための別の手段は、静電気帯電防止靴を製造する方法であって、
（イ）甲皮と、中底と、本底とから構成される靴において、甲皮裏材に導電性織布を使用すること、
（ロ）甲皮吊込み時に、導電性織布から成る甲皮裏材を、甲皮より短寸に裁断して、甲皮裏材を、甲皮表材の外周縁の内部に完全に納めること、
（ハ）前記吊込みシロに、導電糸で外周ステッチを入れること、
（ニ）甲皮裏材と甲皮表材を縫合し、吊込み底面に、導電性接着剤を塗布し、導電性材料から成る本底と手貼りで接合一体化すること、を含む静電気帯電防止靴を製造する方法である。
【００１８】
上記課題を解決するためのさらに別の手段は、静電気帯電防止靴を製造する方法であって、（イ）甲皮と、中底と、本底とから構成される靴において、甲皮裏材に導電性織布を使用すること、（ロ）甲皮吊込み時に、導電性織布から成る甲皮裏材を、甲皮より短寸に裁断して、甲皮裏材を、甲皮表材の外周縁の内部に完全に納めること、（ハ）前記吊込みシロに、導電糸で外周ステッチを入れること、
（ニ）甲皮裏材と甲皮表材を縫合し、吊込み底面に、導電性接着剤を塗布し、導電性材料から成る本底と手貼りで接合一体化することを含む静電気帯電防止靴を製造する方法において、外周ステッチを縫合する際、所定の形状の導電性材料と一緒に縫合することである。
【００１９】
現在、各種の導電性織布、及び導電性不織布が提案されている。これらは、いずれも、高価である。従って、靴に、静電気帯電防止性能を付与するには、靴全体の製造コストを抑え、換言すれば、導電性織布の使用量を抑え、且つ靴の強度等物性低下を起こさずに、最も効率よく静電気帯電防止性能を付与する工夫が必要である。
【００２０】
本発明で使用できる導電性織布の例は導電性成分均一型繊維である。この型の繊維には、ステンレススチール等金属線を繰り返しダイスに通して細線化した金属繊維、並びにアクリル繊維、レーヨン、ピッチ繊維を焼成炭素化した炭素繊維、及びアクリル繊維、レーヨン、カイノール繊維、ビニロン繊維を炭化、賦活させた活性炭素繊維がある。
【００２１】
本発明で使用できる導電性織布の他の例は導電性成分被覆型繊維である。この型の繊維には、有機繊維表面にメッキ、或いは真空蒸着法により金属を被覆した金属被覆繊維、有機繊維表面に導電性微粒子を分散させた有機層を形成させた導電性樹脂被覆有機繊維、複合紡糸技術を用いて導電性微粒子を表面に被覆した同心円状複合繊維、有機繊維表面に金属化合物を含浸透させた後、化学反応により固着処理した金属化合物表層含有繊維がある。
【００２２】
本発明で使用できる導電性織布の他の例は導電性成分複合型繊維である。この型の繊維には、導電性微粒子を分散した重合体をコア成分として複合紡糸した導電体含有重合体を複合成分とした複合繊維、導電性微粒子分散重合体をブレンド、或いは、多芯複合紡糸した有機配列体繊維、低融点金属を複合紡糸した低融点金属を複合成分とした複合繊維がある。
【００２３】
本発明で使用できるその他の導電性織布としては、アルミニウムなどの金属箔をポリマー、フィルムなどでサンドイッチしてスリットした金属箔を含むスリットヤーンがある。
【００２４】
【発明の実施の形態】
図１は本発明の静電気帯電防止靴の１例の製造方法を説明する説明図である。図１−Ａに示すように、本発明の静電気帯電防止靴１は、甲皮２と、導電性織布から成る甲皮裏材３が一体に縫合され、導電製材料から成る本底４が射出成形により接合されているものである。
【００２５】
図１−Ｂ及び図１−Ｃは、その製造方法を示す分解図である。図１−Ｂに示すように、甲皮２と、導電性織布から成る甲皮裏材３は、導電性糸により外周ステッチ５を施して甲皮２と、導電性織布から成る甲皮裏材３とが縫合してある。
【００２６】
甲皮２と、導電性材料から成る本底４を射出成形により接合して一体にして靴を完成した後では、導電性材料から成る本底４とステッチ５が接触した状態になるので、体内に帯電した静電気が、体内→導電性織布から成る甲皮裏材３→導電性糸による外周ステッチ５→導電性材料から成る本底４→大地へと放電される。
【００２７】
図１−Ｃは、吊込み底部６を示す詳細分解図である。図１−Ｃに示すように、中底７に、甲皮２を縫合する場合、射出成形時により大きな負荷がかかる前足部は、ストロベル縫い８で、後足部は、本縫い９で縫合する。
【００２８】
この場合、ストロベル縫い８及び／又は本縫い９を導電性糸を使用すれば、甲皮２と、導電性糸によるストロベル縫い８及び／又は本縫い９が、導電性材料から成る本底４と接触した状態になるので、体内に帯電した静電気が、体内→導電性織布から成る甲皮裏材３→導電性糸によるストロベル縫い８及び／又は本縫い９→導電性材料から成る本底４→大地へと放電される。
【００２９】
図２は本発明の静電気帯電防止靴のさらに別の例の吊込み底面図である。図２に示すように、この例の吊込み底面１３では、導電性織布から成る甲皮裏材３は、甲皮２より短寸になっていて、甲皮２の外周縁の内部に完全に納まっている。吊込みシロ１４に、導電性糸で外周ステッチ１５を入れ、甲皮裏材３と甲皮２の表材を縫合する。次いで、底面に導電性接着剤を塗布し、導電性材料から成る本底４と接合する。このような構造により、体内に帯電した静電気が、体内→導電性織布から成る甲皮裏材３→導電性接着剤→導電性材料から成る本底４→大地へと放電される。
【００３０】
この例において、外周ステッチ１５と導電性材料から成る本底４と接触し難い場合は、外周ステッチ１５を縫う際に、所定の形状の導電性材料、たとえば、短冊状の導電性不織布を一緒に縫合することが好ましい。
【００３１】
【発明の効果】
請求項１に記載した発明により、主として甲皮と、中底と、本底とから構成される靴において、甲皮裏材に導電性材料を使用し、導電性糸により外周ステッチを施して甲皮表材と甲皮裏材とを縫合し、一方甲皮表材と甲皮裏材と、中底とを導電性糸で貫通縫合し、射出成形により導電性材料から成る本底と接合一体化することにより、外周ステッチが直接導電性材料から成る本底と接触して導電性経路を形成し、且つ甲皮表材と甲皮裏材と中底とをそれぞれを縫合した導電性糸を介して導電性材料から成る本底と接触して導電性経路を形成し、体内に帯電した静電気を、靴の機能を損なわず絶えず迅速に接地面に逃がすことができる。
【００３２】
さらに、請求項１に記載した発明により、甲皮表材と甲皮裏材と、中底とを導電性糸で貫通縫合する際、前足部をストロベル縫いすることにより、射出成形時、吊込み底部をラストモールドに吊込む際に前足部に負荷される荷重を受け止めることができ、且つ甲皮表材と甲皮裏材と中底とをそれぞれを縫合した導電性糸を介して導電性材料から成る本底と接触して導電性経路を形成し、体内に帯電した静電気を、靴の機能を損なわず絶えず迅速に接地面に逃がすことができる。
【００３３】
請求項２に記載した発明により、主として甲皮と、中底と、本底とから構成される靴の手貼による製造方法において、吊込み時に、甲皮表材より短寸になる導電性織布を甲皮裏材に使用し、前記甲皮裏材を、甲皮表材の外周縁の内部に完全に納めたので、吊込み作業が簡素化される。
【００３４】
請求項３に記載した発明により、外周ステッチを縫合する際、所定の形状、たとえば短冊形の導電性不織布と一緒に縫合することにより、導電性経路が一層拡大され、放電効率が向上する。
【００３５】
【図面の簡単な説明】
【図１】本発明の実施例１の製造方法を示す説明図。
【図１−Ａ】本発の実施例１の全体図。
【図１−Ｂ】本発の実施例１の部分斜視図。
【図１−Ｃ】本発の実施例１の吊込み底面図。
【図２】本発明の実施例２の製造方法を示す吊込み底面図。
【符号の説明】
１  静電気帯電防止靴
２  甲皮
３  甲皮裏材
４  本底
５  外周ステッチ
６  吊込み底面
７  中底
８  ストロベル縫い
９  本縫い
１０  静電気帯電防止靴
１１  吊込み底面
１２  導電性中敷
１３  静電気帯電防止靴
１４  吊込みシロ
１５  外周ステッチ
【図１】
0004247402.tif 000002
【図２】
0004247402.tif 000003